(57)【要約】【課題】貯蔵室内の広範囲を明るく照らし、貯蔵室に食品を置いても暗くならないような照明装置を備えた冷蔵庫を提供する。【解決手段】冷蔵庫１は、貯蔵室の背面側側壁部の一部を構成し、貯蔵室へ供給される冷気が通過する冷気送風ダクト１３と、冷気送風ダクト１３の左右両側に設けられ、貯蔵室を照らす照明装置１８と、照明装置１８を覆うカバー１４と、を備え、照明装置１８の光軸が側壁部側へ向くように、照明装置１８を配置したものである。【選択図】図２
2015158333.tif 000002
【特許請求の範囲】
【請求項１】
貯蔵室の背面側側壁部の一部を構成し、前記貯蔵室へ供給される冷気が通過する風路部品と、
前記風路部品の左右両側に設けられ、前記貯蔵室を照らす照明装置と、
前記照明装置を覆うカバーと、
を備え、
前記照明装置の光軸が側壁部側へ向くように、前記照明装置を配置したことを特徴とする冷蔵庫。
【請求項２】
前記照明装置は、左右側側壁部のうちで近接する側の側壁部に前記光軸が向くように配置されていることを特徴とする請求項１に記載の冷蔵庫。
【請求項３】
前記照明装置は、前記風路部品を除く前記背面側側壁部に前記光軸が向くように配置されていることを特徴とする請求項１又は請求項２に記載の冷蔵庫。
【請求項４】
前記側壁部に反射板を設けたことを特徴とする請求項１〜請求項３のいずれか一項に記載の冷蔵庫。
【請求項５】
前記照明装置は、前記光軸が前記側壁部で複数回反射するように配置されていることを特徴とする請求項１〜請求項４のいずれか一項に記載の冷蔵庫。
【請求項６】
前記貯蔵室が形成された筐体とヒンジで接続され、前記貯蔵室の前面側開口部を開閉自在に閉塞する扉を備え、
前記照明装置は、前記側壁部で反射した前記光軸が進む位置を設定したことを特徴とする請求項１〜請求項５のいずれか一項に記載の冷蔵庫。
【請求項７】
貯蔵室の背面側側壁部の一部を構成し、前記貯蔵室へ供給される冷気が通過する風路部品と、
前記風路部品の左右両側に設けられ、前記貯蔵室を照らす照明装置と、
前記照明装置を覆うカバーと、
を備え、
前記照明装置の光軸が前記風路部品へ向くように、前記照明装置を配置したことを特徴とする冷蔵庫。
【請求項８】
前記風路部品に反射板を設けたことを特徴とする請求項７に記載の冷蔵庫。
【請求項９】
前記照明装置は、前記光軸が前記風路部品及び前記側壁部で複数回反射するように配置されていることを特徴とする請求項７又は請求項８に記載の冷蔵庫。
【請求項１０】
前記貯蔵室が形成された筐体とヒンジで接続され、前記貯蔵室の前面側開口部を開閉自在に閉塞する扉を備え、
前記照明装置は、前記側壁部で反射した前記光軸が進む位置を設定したことを特徴とする請求項７〜請求項９のいずれか一項に記載の冷蔵庫。
【発明の詳細な説明】
【技術分野】
【０００１】
本発明は、冷蔵庫に関するものである。
【背景技術】
【０００２】
従来より冷蔵庫の貯蔵室には、貯蔵室を明るく照らすための照明装置が配置されている。ヒンジ式の扉を開けることで、冷蔵庫に取り付けてあるドアスイッチが反応し、冷蔵庫を制御する制御基板がドアを開いていると認識し、照明装置を点灯させる。前記照明装置には、発光源に発光ダイオード（以後、ＬＥＤ）を用いたものが多くなってきている。
【０００３】
照明装置の配置場所や配置方法は様々提案されている。例えば、貯蔵室背面に風路を形成するパネルがあり、パネルの両側に照明を配置し、パネルにランプカバーを取り付けた先行事例がある（例えば、特許文献１参照。）。照明によって貯蔵室前面に光を照射し、ランプカバーで拡散反射して貯蔵室内に照明の光を行き届かせ、さらにその光が貯蔵室の壁面等で反射することでより明るくすることができている。
【０００４】
また、貯蔵室背面に照明を配置し、断面が円弧形状で表面に凸部を形成しているランプカバーで覆うように取り付けた先行事例がある（例えば、特許文献２参照。）。照明によって貯蔵室前面に光を照射し、ランプカバーの凸部によって照明の光を拡散照射し、貯蔵室内全体に光を行き届かせることができている。
【先行技術文献】
【特許文献】
【０００５】
【特許文献１】特開２０１０−１３９０７９号公報
【特許文献２】特開２０１１−１１７７２７号公報
【発明の概要】
【発明が解決しようとする課題】
【０００６】
冷蔵庫の貯蔵室内を貯蔵室背面に配置した照明装置で照明する場合、貯蔵室前面側へ向けて光を照射するため、貯蔵室に食品を配置すると光路が絶たれ、貯蔵室が暗くなるという課題があった。
【０００７】
また、光が当たらない箇所が多く、貯蔵室が暗くなるという課題があった。
【０００８】
ここで、貯蔵室の広範囲を明るくするには、ＬＥＤの使用個数を増やすか、比較的明るく価格の高いＬＥＤを使用する必要がある。
しかし、照明装置を貯蔵室背面に配置した場合の従来の冷蔵庫は、照明の発光面が使用者に向いており、ＬＥＤからの光軸が使用者の目線に入ってしまうため、光量を上げすぎてしまうとＬＥＤ自体を使用者が眩しく感じるという課題があった。
【０００９】
本発明は、上記のような課題を解決するためになされたもので、第１の目的は貯蔵室内の広範囲を明るく照らし、貯蔵室に食品を置いても暗くならないような照明装置を備えた冷蔵庫を提供することである。
【００１０】
また、第２の目的は、照明装置の眩しさを感じにくくすることができる照明装置を備えた冷蔵庫を提供することである。
【課題を解決するための手段】
【００１１】
本発明に係る冷蔵庫は、貯蔵室の背面側側壁部の一部を構成し、前記貯蔵室へ供給される冷気が通過する風路部品と、前記風路部品の左右両側に設けられ、前記貯蔵室を照らす照明装置と、前記照明装置を覆うカバーと、を備え、前記照明装置の光軸が側壁部側へ向くように、前記照明装置を配置したものである。
【発明の効果】
【００１２】
本発明に係る冷蔵庫は、照明装置の光軸が側壁部側へ向くように照明装置を配置しているため、照明装置から照射された光が貯蔵室の側壁部で反射した後、貯蔵室の前面に進む。このため、照明装置を貯蔵室前面に向けて配置した従来の冷蔵庫と比べ、照明装置から貯蔵室の外に出るまでの光路を長くすることができる。一般にＬＥＤは一定の照射角を持つため、光路が長くなると照射する面積が増えるので、光路が長いほど光の照射範囲を拡大できる。また、本発明に係る冷蔵庫は、照明装置の光を側壁部で反射させているため、側壁部が面発光しているように見せることができる。また、照明装置を覆うカバーを有し、光を拡散しているため、ＬＥＤの近傍に食品を置いても完全に光が遮られることがない。したがって、本発明に係る冷蔵庫は、貯蔵室内の広範囲を均一に照らすことができ、貯蔵室に食品を配置しても暗くならないという効果を有する。
【００１３】
また、本発明に係る冷蔵庫は、照明装置から照射された光が貯蔵室の側壁部で反射することで、使用者に届く時には眩しく感じない程度に光量を抑えることができ、使用者が照明装置を眩しく感じない。
【００１４】
また、本発明に係る冷蔵庫は、貯蔵室の広範囲が明るく見えるため、貯蔵室内の視認性を高めることができると共に、使用者に貯蔵室内の清潔感を感じさせることができる。
【図面の簡単な説明】
【００１５】
【図１】本発明の実施の形態１における冷蔵庫１の縦断面図である。
【図２】本発明の実施の形態１における冷蔵庫１の冷蔵室２を示す横断面図である。
【図３】本発明の実施の形態１における冷蔵庫１の冷蔵室２を示す正面図である。
【図４】本発明の実施の形態１における冷蔵庫１の冷蔵室２に設けられた冷気送風ダクト１３及びカバー１４を示す斜視図である。
【図５】本発明の実施の形態１における冷蔵庫１の冷蔵室２を示す横断面図である。
【図６】本発明の実施の形態１における照明装置１８の別の一例を示す冷蔵室２の正面図である。
【図７】本発明の実施の形態１における照明装置１８の別の一例を示す冷蔵室２の縦断面図である。
【図８】本発明の実施の形態１における照明装置１８の別の一例を示す冷蔵室２の横断面図である。
【図９】本発明の実施の形態１における照明装置１８近傍を示す要部拡大図（横断面図）である。
【図１０】本発明の実施の形態１におけるカバーの別の一例を示す照明装置近傍の要部拡大図（横断面図）である。
【図１１】本発明の実施の形態２における冷蔵庫１の冷蔵室２を示す横断面図である。
【図１２】本発明の実施の形態３における冷蔵庫１の冷蔵室２を示す横断面図である。
【図１３】本発明の実施の形態４における冷蔵庫１の冷蔵室２を示す横断面図である。
【図１４】本発明の実施の形態５における冷蔵庫１の冷蔵室２を示す横断面図である。
【発明を実施するための形態】
【００１６】
実施の形態１．
図１は、本発明の実施の形態１における冷蔵庫１の縦断面図である。この図１は、左側が冷蔵庫１の前面側となり、右側が冷蔵庫１の背面側となっている。また、図１には、冷気の流れを黒塗り矢印で示している。
冷蔵庫１は、複数の貯蔵室が形成された筐体１ａを備えている。図１に示す冷蔵庫１の筐体１ａには、貯蔵室として冷蔵室２、切替室３、冷凍室４及び野菜室５が形成されている。より詳しくは、図１に示す冷蔵庫１の筐体１ａには、上部から下部にかけて、冷蔵室２、切替室３、冷凍室４及び野菜室５の順で形成されている。各貯蔵室は、上壁部、下壁部、左右側壁部及び背面側側壁部によって、前面側に開口部を有する略箱形形状に形成されている。また、各貯蔵室の開口部は、ヒンジ式の扉６（筐体１ａとヒンジで接続された扉）や、引き出し式の扉７で開閉自在に閉塞されている。また、ヒンジ式の扉６を有する冷蔵室２は、複数の積載棚８で区画し、食品の収納性を高めている。また、ヒンジ式の扉６には、ドアポケット９を備える。
なお、本実施の形態１及び後述する各実施の形態では、貯蔵室の左右側側壁部及び背面側側壁部を総称する場合、側壁部と称することとする。
【００１７】
また、冷蔵庫１は、各貯蔵室に供給する冷気を生成するため、圧縮機１０、凝縮器（図示せず）、減圧器としての毛細管（図示せず）及び冷却器１１等で構成される冷凍サイクル装置を備えている。圧縮機１０で圧縮された冷媒は、凝縮器において凝縮される。凝縮された冷媒は、減圧器としての毛細管において減圧される。減圧された冷媒は冷却器１１において蒸発し、この蒸発時の吸熱作用により冷却器１１の周辺が冷却される。冷却器１１は、筐体１ａの背面側に形成された冷却室１ｂ内に配置されており、冷却器１１周辺の空気（冷気）が冷却室１ｂに設けられた送風機１２によって各貯蔵室に供給される。なお、本実施の形態１に係る冷蔵庫１においては、切替室３、冷凍室４及び野菜室５は冷却室１ｂと連通する冷気吹出口を備えており、当該冷気吹出口から冷気が供給される。また、冷蔵室２は、冷却室１ｂと連通する冷気送風ダクト１３を背面側に備え、当該冷気送風ダクト１３に形成された冷気吹出口から冷気が供給される構成となっている。この冷気送風ダクト１３は、背面側側壁部の一部を構成するものである。
【００１８】
続いて、冷蔵室２の詳細構造について説明する。
【００１９】
図２は、本発明の実施の形態１における冷蔵庫１の冷蔵室２を示す横断面図である。図３は、この冷蔵室２を示す正面図である。また、図４は、この冷蔵室２に設けられた冷気送風ダクト１３及びカバー１４を示す斜視図である。なお、図２は、下側が冷蔵庫１の前面側となり、上側が冷蔵庫１の背面側となっている。
冷蔵室２は、上壁部２ａ、下壁部２ｂ、左右側側壁部２ｃ（右側側壁部２ｃ１、左側側壁部２ｃ２）及び背面側側壁部２ｄによって、前面側に開口部を有する略箱形形状に形成されている。また、冷蔵室２の開口部は、ヒンジ式の扉６（筐体１ａとヒンジ６ａで接続された扉）で開閉自在に閉塞されている。
【００２０】
また、冷蔵室２の背面側には、背面側側壁部２ｄの一部を構成する冷気送風ダクト１３が設置されている。この冷気送風ダクト１３は、上述のように冷気を冷蔵室２内へ導くためのものであり、冷気吹出口１６が形成されている。冷気送風ダクト１３は、例えば発泡ポリスチレン製である。なお、冷気送風ダクト１３が本発明の風路部品に相当する。
【００２１】
この冷気送風ダクト１３の左右両側には、照明装置１８が設けられている。これら照明装置１８は、例えば上下方向に長い長方形状の照明用基板１７に、例えば複数（本実施の形態１では４個）のＬＥＤ１５を上下方向に略直線状に配置したものである。また、これら照明装置１８（換言するとＬＥＤ１５）は、左右側側壁部２ｃのうちで近接する側の側壁部に光軸が向くように配置されている。より詳しくは、右側側壁部２ｃ１に近い側に配置された照明装置１８は、光軸が右側側壁部２ｃ１に向くように配置されている。左側側壁部２ｃ２に近い側に配置された照明装置１８は、左側側壁部２ｃ２に向くように配置されている。また、照明装置１８は、後述するカバー１４に設けられた爪２１によって取り付けられている。これら照明装置１８は、ヒンジ式の扉６を開けることで、冷蔵庫１に取り付けてあるドアスイッチ（図示省略）が反応し、冷蔵庫１を制御する制御基板２２が扉６を開いていると認識し、点灯する。例えば、扉６又は筐体１ａに扉６の開閉を検出するドアスイッチが設けられており、扉６が開いたときに制御基板２２は点灯信号を出力する。
【００２２】
上述した冷気送風ダクト１３及び照明装置１８の手前側には、冷気送風ダクト１３及び照明装置１８を覆うように、例えば無色透明のカバー１４が設置されている。このカバー１４は、表面に凸形状を持たせた形状等により、照射角度を広める効果を持ち、ＬＥＤ１５の光を拡散照射するものである。カバー１４には、冷気送風ダクト１３の冷気吹出口１６と対向する位置に冷気吹出口１４ａが形成されており、冷蔵室２と冷気送風ダクト１３とはカバー１４の冷気吹出口１４ａを介して連通している。送風機１２により送られた冷気は、冷気送風ダクト１３の冷気吹出口１６を通り、カバー１４の冷気吹出口１４ａから冷蔵室２内へと吹き出される（図１参照。）。
【００２３】
次に動作について説明する。
【００２４】
図５は、本発明の実施の形態１における冷蔵庫１の冷蔵室２を示す横断面図である。この図５は、下側が冷蔵庫１の前面側となり、上側が冷蔵庫１の背面側となっている。
図５に示すように、本実施の形態１では、照明装置１８（換言するとＬＥＤ１５）が左右側側壁部２ｃのうちで近接する側の側壁部に光軸が向くように配置されているので、ＬＥＤ１５から照射した光が左右側側壁部２ｃで反射した後、冷蔵室２の前面に進む。このため、照明装置１８を冷蔵室２前面に向けて配置した場合と比べ、ＬＥＤ１５から冷蔵室２の外に出るまでの光路が伸びて、光の照射範囲を拡大できる。また、カバー１４の表面に凸部を形成していることにより、より広い範囲に拡散反射することができる。
また、ＬＥＤ１５から照射した光を左右側側壁部２ｃで反射させているため、左右側側壁部２ｃが面発光しているように見えることから、冷蔵室２内の広範囲を均一に照らすことができる。
【００２５】
したがって、冷蔵室２に食品を配置しても暗くならないという効果を有する。
【００２６】
また、ＬＥＤ１５から照射した光が左右側側壁部２ｃで反射することで、左右側側壁部２ｃに使用している材質の反射率によって光量を抑えるため、使用者２４に届く光量を抑えることができ、使用者２４が眩しく感じないという効果を有する。
【００２７】
また、冷蔵室２の広範囲が明るく見えるため、使用者２４の冷蔵室２内の視認性を高めることができると共に、使用者２４に冷蔵室２内の清潔感を感じさせることができるという効果を有する。
【００２８】
また、左右側側壁部２ｃでの反射回数は限定されるものではなく、複数回反射してもよい。反射回数が多くなるほど、光路を伸ばすことができるため、照射範囲を広くすることが可能である。また、反射回数が多いことで、眩しさの低減をより行うことが可能である。
【００２９】
また、本実施の形態１では片側の照明装置１８に使用するＬＥＤ１５の個数を４個とした例を挙げたが、図６の様にＬＥＤ１５の個数を変更したものでもよい。ＬＥＤ１５の個数を減らせば、照明装置１８の材料費を抑えることができ、照明装置１８全体のコストを抑えることが可能である。
【００３０】
また、本実施の形態１では図１〜図３に示すようにＬＥＤ１５の光軸１９を高さ方向にて傾斜させない例を挙げたが、図７の様に、ＬＥＤ１５の光軸１９を高さ方向に傾斜させるものでもよい。ＬＥＤ１５の光軸１９を傾斜させることで、傾斜させないときと比べ、さらに光路を伸ばすことができるため、より照射範囲を広くすることが可能である。
【００３１】
また、本実施の形態１では、カバー１４は表面に凸形状を持たせた形状とした例を上げたが、光を拡散反射させない形状にカバー１４を構成してもよい。
【００３２】
また、本実施の形態１では照明装置１８をカバー１４の爪２１に取り付ける例を挙げたが、取り付け方法は限定されない。例えば、図８の様に、冷気送風ダクト１３に爪２１を取り付けて、そこに照明装置１８を取り付けるものでもよい。取り付け位置を限定しないことで、照明装置１８の取り付けやすさや加工コストを考慮することが可能である。
なお、図８は、下側が冷蔵庫１の背面側となっており、上側が冷蔵庫１の前面側となっている。
【００３３】
また、本実施の形態１では図９の様に冷気送風ダクト１３及び照明装置１８の双方を覆うように無色透明のカバー１４を取り付けたが、図１０の様に、照明装置１８を無色透明のカバー１４で覆い、冷気送風ダクト１３をカバー１４とは別の有色のカバー１４ｂで覆ってもよい。
【００３４】
また、本実施の形態１では本発明を冷蔵室２にて実施する例を挙げたが、冷蔵室２以外の貯蔵室に本発明を実施してもよい。
【００３５】
また、本実施の形態１で説明した貯蔵室や当該貯蔵室の配置はあくまでも一例であり、貯蔵室の構成は問わない。
【００３６】
実施の形態２．
本発明は、照明装置１８の光軸１９が側壁部側へ向くように、照明装置１８を配置すればよい。このため、以下のように照明装置１８を配置しても本発明を実施することができる。なお、本実施の形態２において特に言及しない構成は実施の形態１と同様とし、実施の形態１と同様の構成については同じ符号を付すものとする。
【００３７】
図１１は、本発明の実施の形態２における冷蔵庫１の冷蔵室２を示す横断面図である。なお、図１１は、下側が冷蔵庫１の前面側となり、上側が冷蔵庫１の背面側となっている。
図１１に示すように、本実施の形態２に係る照明装置１８は、冷気送風ダクト１３を除く背面側側壁部２ｄに光軸１９が向くように配置されている。このため、ＬＥＤ１５から照射した光が背面側側壁部２ｄで反射した後、直接又は左右側側壁部２ｃに反射して冷蔵室２の前面に進む。したがって、照明装置１８を冷蔵室２前面に向けて配置した場合と比べ、ＬＥＤ１５から冷蔵室２の外に出るまでの光路が伸びて、光の照射範囲を拡大できる。また、ＬＥＤ１５から照射した光を背面側側壁部２ｄで反射させているため、背面側側壁部２ｄ（左右側側壁部２ｃでも反射している場合には左右側側壁部２ｃも含む）が面発光しているように見えることから、冷蔵室２内の広範囲を均一に照らすことができる。
【００３８】
また、ＬＥＤ１５の光軸１９が背面側側壁部２ｄへ向いているので、背面側側壁部２ｄや左右側側壁部２ｃだけでなく従来特に暗かった背面側側壁部２ｄの端も面発光しているように見えるということと、実施の形態１より反射回数を増やすことができて、実施の形態１と比べ、光路をさらに伸ばして照射範囲を拡大することができる。
【００３９】
また、背面側側壁部２ｄ及び／又は左右側側壁部２ｃが面発光しているように見えることと、カバー１４の表面に凸部を形成していることにより、冷蔵室２内の広範囲に拡散反射することができるため、ＬＥＤ１５の近傍に食品を置いたとしても、完全に光が遮られることがなくなるため、暗くなりにくい。
【００４０】
また、ＬＥＤ１５から照射した光が背面側側壁部２ｄ及び／又は左右側側壁部２ｃで反射することで、側壁部に使用している材質の反射率によって光量を抑えるため、使用者２４に届く光量を抑えることができ、使用者２４が眩しく感じないという効果を有する。また、実施の形態１よりも反射回数が多く側壁部で反射することで光量を抑えるため、使用者２４に届く光量を抑えることができ、使用者２４がより眩しく感じないという効果を有する。
【００４１】
また、冷蔵室２の広範囲が明るく見えるため、使用者２４の冷蔵室２内の視認性を高めることができると共に、使用者２４に冷蔵室２内の清潔感を感じさせることができるという効果を有する。さらに、実施の形態１よりも冷蔵室２の広範囲が広く、明るく見えるため、更に視認性および使用者２４による清潔感の感じ方が高まる。
【００４２】
なお、本実施の形態２では照明装置１８の双方を光軸１９が背面側側壁部２ｄに向くように配置した。これに限らず、照明装置１８の一方を実施の形態１のように配置しても勿論よい。
【００４３】
実施の形態３．
光軸１９が背面側側壁部２ｄ側に向くように照明装置１８を配置する場合、以下のように照明装置１８を配置してもよい。なお、本実施の形態３において特に言及しない構成は実施の形態１又は実施の形態２と同様とし、実施の形態１又は実施の形態２と同様の構成については同じ符号を付すものとする。
【００４４】
図１２は、本発明の実施の形態３における冷蔵庫１の冷蔵室２を示す横断面図である。なお、図１２は、下側が冷蔵庫１の前面側となり、上側が冷蔵庫１の背面側となっている。
図１２に示すように、本実施の形態３に係る照明装置１８は、冷気送風ダクト１３に光軸１９が向くように配置されている。このため、ＬＥＤ１５から照射した光が冷気送風ダクト１３やカバー１４で反射した後、冷蔵室２の前面に進む。このため、照明装置１８を冷蔵室２前面に向けて配置した場合と比べ、ＬＥＤ１５から冷蔵室２の外に出るまでの光路が伸びて、光の照射範囲を拡大できる。また、冷気送風ダクト１３で反射させているため、冷気送風ダクト１３及びカバー１４自体が光っている様に見え、面発光しているように見えることから、間接照明の役割を果たし、冷蔵室２内の広範囲を均一に照らすことができる。
【００４５】
また、例えば丸みのかかった冷気送風ダクト１３で反射させ、表面に凸部を形成したカバー１４で光を反射させるため、より広い範囲に光を拡散反射することができる。
【００４６】
また、冷気送風ダクト１３及びカバー１４自体が光って見えていることから、冷蔵室２奥側が明るく見えるという効果を有する。
【００４７】
また、冷気送風ダクト１３及びカバー１４自体が面発光しているように見えることと、冷蔵室２内の広範囲を均一に照らすことよってＬＥＤ１５の近傍に食品を配置しても、完全に光が遮られることがなくなるため、暗くなりにくいという効果を有する。
【００４８】
また、ＬＥＤ１５から照射した光が冷気送風ダクト１３及びカバー１４で反射することで、これらに使用している材質の反射率によって光量を抑えるため、使用者２４に届く光量を抑えることができ、使用者２４が眩しく感じないという効果を有する。
【００４９】
また、冷蔵室２の広範囲が明るく見えるため、使用者２４の冷蔵室２内の視認性を高めることができると共に、使用者２４に冷蔵室２内の清潔感を感じさせることができるという効果を有する。
【００５０】
なお、本実施の形態３では照明装置１８の双方を光軸１９が冷気送風ダクト１３に向くように配置した。これに限らず、照明装置１８の一方を実施の形態１又は実施の形態２のように配置しても勿論よい。例えば、複数の照明装置１８を配置した場合に、実施の形態１及び実施の形態２を合わせることで、両方の効果を同時に得ることができる。
【００５１】
実施の形態４．
実施の形態１〜実施の形態３で示した冷蔵室２の側壁部といった光軸１９の対向面に反射板を設けてもよい。なお、本実施の形態４において特に言及しない構成は実施の形態１〜実施の形態３のいずれかと同様とし、実施の形態１〜実施の形態３のいずれかと同様の構成については同じ符号を付すものとする。
【００５２】
図１３は、本発明の実施の形態４における冷蔵庫１の冷蔵室２を示す横断面図である。なお、図１３は、下側が冷蔵庫１の前面側となり、上側が冷蔵庫１の背面側となっている。
図１３に示すように、本実施の形態４に係る冷蔵庫１は、実施の形態１で説明した冷蔵庫１の構成に加えて、冷蔵室２の側壁部の少なくとも一部（本実施の形態４では、左右側側壁部２ｃにおいて照明装置１８の光軸１９が反射する位置）に例えば反射率の高い反射板２５を取り付けている。反射板２５の材料は、例えば鏡やガラスとする。
【００５３】
このように構成された冷蔵庫１においては、実施の形態１で示した効果に加えて、反射板２５で照明装置１８の光を反射させることにより光量の低下を抑えることができるという効果を得ることができる。つまり、反射率の低下を抑えることで、冷蔵室２をより明るく照らすことができるという効果を有する。また、材質を変えて反射率を調整することで、光量と眩しさの調整もできる。
【００５４】
なお、本実施の形態４では、実施の形態１で示した冷蔵庫１を例に反射板２５を設ける効果を説明したが、実施の形態２及び実施の形態３で示した冷蔵庫１に反射板２５を設けてもよい。実施の形態２及び実施の形態３で示した効果に加えて、上記のような反射板２５を備えることによる効果も得ることができる。
【００５５】
実施の形態５．
実施の形態１〜実施の形態４で示した冷蔵庫１において側壁部でＬＥＤ１５から照射した光を反射させる場合、照明装置１８の光軸１９の方向を以下のように設定する。なお、本実施の形態５において特に言及しない構成は実施の形態１〜実施の形態４のいずれかと同様とし、実施の形態１〜実施の形態４のいずれかと同様の構成については同じ符号を付すものとする。また、以下では、実施の形態１で示した冷蔵庫１を例に、照明装置１８の光軸１９の方向の設定方法を説明する。
【００５６】
図１４は、本発明の実施の形態５における冷蔵庫１の冷蔵室２を示す横断面図である。なお、図１４は、下側が冷蔵庫１の前面側となり、上側が冷蔵庫１の背面側となっている。
上述のように冷蔵庫１は、筐体１ａとヒンジ６ａで接続され、冷蔵室２の開口部を開閉自在に閉塞する扉６を備えている。そして、図１４に示すように、本実施の形態５に係る照明装置１８は、左右側側壁部２ｃで反射したＬＥＤ１５からの光軸１９がヒンジ式の扉６と冷蔵室２の境目（つまり、ヒンジ６ａの位置）に進むように、左右側側壁部２ｃで光軸１９が反射するときの入射角２６及び反射角２７が設定されている。
【００５７】
以上のように、ヒンジ式の扉６と冷蔵室２の境目に左右側側壁部２ｃで反射したＬＥＤ１５の光軸１９が進むようにすることで、ドアポケット９との間を抜けていき、貯蔵室内で反射しない。そのため、ＬＥＤ１５の光軸１９が使用者２４の目線に入っていかない。ＬＥＤ１５の光軸１９が使用者２４の目線に入らないため、使用者２４が眩しく感じないという効果を有する。
【００５８】
なお、照明装置１８の光軸１９の方向の設定方法にて、ヒンジ式の扉６と冷蔵室２の境目にＬＥＤ１５の光軸１９が進むように示したが、これよりも貯蔵室側に進むようにしてもよい。側壁部を反射したＬＥＤ１５から照射した光が直接使用者２４の目線に入ってくることがないため、眩しく感じないという効果を有する。
【００５９】
また、ＬＥＤ１５から照射した光軸１９が、ヒンジ式の扉６と冷蔵室２の境目よりも、扉６側にあってもよい。ＬＥＤ１５から照射した光軸１９が、扉６側に向かうことで、ドアポケット９を照らすことができ、視認性を高めるとともに、清潔感を感じることができる。
【００６０】
なお、本実施の形態５では、実施の形態１で示した冷蔵庫１を例に光軸１９の設定方法を説明したが、実施の形態２〜実施の形態４で示した冷蔵庫１においても、側壁部で反射した光軸１９がヒンジ式の扉６と冷蔵室２の境目に進むようにすることで、同様の効果を得ることができる。
【符号の説明】
【００６１】
１  冷蔵庫、１ａ  筐体、１ｂ  冷却室、２  冷蔵室、２ａ  上壁部、２ｂ  下壁部、２ｃ  左右側側壁部、２ｃ１  右側側壁部、２ｃ２  左側側壁部、２ｄ  背面側側壁部、３  切替室、４  冷凍室、５  野菜室、６  扉（ヒンジ式）、６ａ  ヒンジ、７  扉（引き出し式）、８  積載棚、９  ドアポケット、１０  圧縮機、１１  冷却器、１２  送風機、１３  冷気送風ダクト、１４  カバー、１４ａ  冷気吹出口、１４ｂ  有色のカバー、１５  ＬＥＤ（発光ダイオード）、１６  冷気吹出口、１７  照明用基板、１８  照明装置、１９  光軸、２１  爪、２２  制御基板、２３  リード線、２４  使用者、２５  反射板、２６  入射角、２７  反射角。
【図１】
2015158333.tif 000003
【図２】
2015158333.tif 000004
【図３】
2015158333.tif 000005
【図４】
2015158333.tif 000006
【図５】
2015158333.tif 000007
【図６】
2015158333.tif 000008
【図７】
2015158333.tif 000009
【図８】
2015158333.tif 000010
【図９】
2015158333.tif 000011
【図１０】
2015158333.tif 000012
【図１１】
2015158333.tif 000013
【図１２】
2015158333.tif 000014
【図１３】
2015158333.tif 000015
【図１４】
2015158333.tif 000016